【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
一般用記録媒体、または会員登録した会員に発行された会員用記録媒体を受付ける受付手段と、
新たな一般用記録媒体を前記受付手段に供給可能に格納する格納手段と、
遊技にて獲得された遊技媒体を計数する計数手段と、
前記計数手段にて計数された遊技媒体の数である計数遊技媒体数の範囲内の遊技媒体を、遊技者に払出すための処理を行う払出処理手段と、
前記計数遊技媒体数を管理する管理装置との通信を行う通信手段と、
前記管理装置との通信状態を判定する判定手段と、
前記計数遊技媒体数を、前記一般用記録媒体、または前記会員用記録媒体により特定可能とするための特定化処理を行う特定化処理手段と、
前記受付手段に受付けられた前記一般用記録媒体、または前記会員用記録媒体を排出する処理を行う排出処理手段と、
を備える遊技用装置であって、
前記特定化処理手段は、前記特定化処理として、前記受付手段において前記一般用記録媒体が受付けられた場合は、前記判定手段による通信状態の判定に関わらず、当該一般用記録媒体に前記計数遊技媒体数を記録させる一般特定化処理を行い、前記受付手段において前記会員用記録媒体が受付けられ、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられ、前記判定手段により通信不能と判定されている場合は、受付けられた前記会員用記録媒体を前記排出処理手段によって排出させ、前記格納手段に格納されていた新たな一般用記録媒体に前記計数遊技媒体数を記録させる通信不能時会員特定化処理を行う、
ことを特徴とする遊技用装置。
【手続補正２】
【補正対象書類名】明細書
【補正対象項目名】発明の名称
【補正方法】変更
【補正の内容】
【発明の名称】遊技用装置
【手続補正３】
【補正対象書類名】明細書
【補正対象項目名】０００１
【補正方法】変更
【補正の内容】
【０００１】
本発明は、遊技機に１対１に対応して設けられる遊技用装置に関する。
【手続補正４】
【補正対象書類名】明細書
【補正対象項目名】０００６
【補正方法】変更
【補正の内容】
【０００６】
本発明は、このような問題点に着目してなされたもので、通信状態が非接続（オフライン）状態となっても、会員遊技者が損害を被ることの無い遊技用装置を提供することを目的とする。
【手続補正５】
【補正対象書類名】明細書
【補正対象項目名】０００７
【補正方法】変更
【補正の内容】
【０００７】
上記課題を解決するために、本発明の請求項１に記載の遊技用装置は、
遊技機（パチンコ機２）に１対１に対応して設けられ、
一般用記録媒体（ビジターカード）、または会員登録した会員に発行された会員用記録媒体（会員カード）を受付ける受付手段（カードリーダライタ３２７）と、
新たな一般用記録媒体を前記受付手段に供給可能に格納する格納手段（カード貯留部３７０）と、
遊技にて獲得された遊技媒体（獲得玉数）を計数する計数手段（獲得玉計数器４０７）と、
前記計数手段にて計数された遊技媒体の数（持玉数）である計数遊技媒体数の範囲内の遊技媒体を、遊技者に払出すための処理を行う払出処理手段（玉切り払出しユニット４０２）と、
前記計数遊技媒体数を管理する管理装置との通信を行う通信手段（第２通信部４０９）と、
前記管理装置との通信状態を判定する判定手段（制御部４１０）と、
前記計数遊技媒体数を、前記一般用記録媒体、または前記会員用記録媒体により特定可能とするための特定化処理（計数対応処理）を行う特定化処理手段（制御ユニット３２８）と、
前記受付手段に受付けられた前記一般用記録媒体、または前記会員用記録媒体を排出する処理を行う排出処理手段と、
を備える遊技用装置であって、
前記特定化処理手段は、前記特定化処理として、前記受付手段において前記一般用記録媒体が受付けられた場合は、前記判定手段による通信状態の判定に関わらず、当該一般用記録媒体に前記計数遊技媒体数を記録させる一般特定化処理を行い、前記受付手段において前記会員用記録媒体が受付けられ、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられ、前記判定手段により通信不能と判定されている場合は、受付けられた前記会員用記録媒体を前記排出処理手段によって排出させ、前記格納手段に格納されていた新たな一般用記録媒体に前記計数遊技媒体数（持玉数）を記録させる通信不能時会員特定化処理を行う、
ことを特徴としている。
この特徴によれば、通信状態が非接続（オフライン）状態となっても、会員遊技者が損害を被ることを解消できる。
【手続補正６】
【補正対象書類名】明細書
【補正対象項目名】０００８
【補正方法】変更
【補正の内容】
【０００８】
本発明の手段１に記載の遊技用装置は、請求項１に記載の遊技用装置であって、
前記受付手段において前記一般用記録媒体を受付けているときに前記特定化処理手段は、前記特定化処理として、前記遊技媒体計数装置において遊技媒体の計数が実施されることにより該遊技媒体計数装置から送信される獲得遊技媒体数（持玉数）を受信する毎に、該受信した獲得遊技媒体数を前記受付手段に受付け中の一般用記録媒体に記録するための処理を行うことを特徴としている。
この特徴によれば、遊技媒体計数装置における遊技媒体の計数に応じて獲得遊技媒体数が逐次、一般用記録媒体に記録されるので、遊技媒体計数装置との接続に不具合が生じた場合の遊技者の不利益の発生を低減できるばかりか、遊技者による一般用記録媒体の排出操作に応じて、迅速に一般用記録媒体を排出することができる。
【手続補正７】
【補正対象書類名】明細書
【補正対象項目名】０００９
【補正方法】変更
【補正の内容】
【０００９】
本発明の手段２に記載の遊技用装置は、請求項１または手段１に記載の遊技用装置であって、
前記一般用記録媒体（ビジターカード）或いは会員用記録媒体（会員カード）を排出するための排出操作を検知する排出操作検知手段（制御ユニット３２８、Ｓｂ５）を備え、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記受付手段（カードリーダライタ３２７）に受付け中の一般用記録媒体（ビジターカード）に記録するための処理を行い、
前記遊技媒体計数装置において遊技媒体（パチンコ玉）の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を一般用記録媒体に記録するための前記特定化処理が完了した旨を特定可能な計数終了応答を該遊技媒体計数装置に返信する時点まで、前記排出操作検知手段による排出操作の検知に応じた一般用記録媒体の排出を禁止することを特徴としている。
この特徴によれば、計数終了通知から特定される獲得遊技媒体数の一般用記録媒体への記録が完了する以前に、一般用記録媒体が排出されてしまうことによる遊技者の不利益の発生を回避することができる。
【手続補正８】
【補正対象書類名】明細書
【補正対象項目名】００１０
【補正方法】変更
【補正の内容】
【００１０】
本発明の手段３に記載の遊技用装置は、手段２に記載の遊技用装置であって、
前記受付手段（カードリーダライタ３２７）に前記会員用記録媒体（会員カード）を受付け中において、前記遊技媒体計数装置（計数・払出ユニット４）から計数終了通知を受信したときには、該計数終了通知から特定される獲得遊技媒体数を受付け中の会員用記録媒体に記録することなく前記計数終了応答を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正９】
【補正対象書類名】明細書
【補正対象項目名】００１１
【補正方法】変更
【補正の内容】
【００１１】
本発明の手段４に記載の遊技用装置は、請求項１、手段１〜３のいずれかに記載の遊技用装置であって、
前記一般用記録媒体（ビジターカード）或いは会員用記録媒体（会員カード）を排出するための排出操作を検知する排出操作検知手段（制御ユニット３２８、Ｓｂ５）を備え、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記受付手段（カードリーダライタ３２７）に受付け中の一般用記録媒体（ビジターカード）に記録するための処理を行い、
前記受付手段（カードリーダライタ３２７）に、前記獲得遊技媒体数（持玉数）が記録された一般用記録媒体（ビジターカード）を受付け中に、前記遊技媒体計数装置（計数・払出ユニット４）において遊技媒体の払出操作（払出ボタン４０１の操作）が行われた旨を特定可能な払出開始通知（計数払出開始通知）を該遊技媒体計数装置から受信した時点から、該払出操作に応じて前記遊技媒体計数装置において払出される遊技媒体数（単位払出玉数）を減じた新たな獲得遊技媒体数（持玉数）を該受付け中の一般用記録媒体に更新記録する減算処理が完了した旨を特定可能な減算終了通知（計数引落完了通知）を該遊技媒体計数装置に返信する時点まで、前記排出操作検知手段（Ｓｂ５）による排出操作の検知に応じた一般用記録媒体の排出を禁止することを特徴としている。
この特徴によれば、減算処理が完了する以前に一般用記録媒体が排出されてしまうことによる遊技者或いは遊技場の不利益の発生を回避することができる。
【手続補正１０】
【補正対象書類名】明細書
【補正対象項目名】００１２
【補正方法】変更
【補正の内容】
【００１２】
本発明の手段５に記載の遊技用装置は、手段４に記載の遊技用装置であって、
前記受付手段（カードリーダライタ３２７）に前記会員用記録媒体（会員カード）を受付け中において、前記遊技媒体計数装置（計数・払出ユニット４）から払出開始通知（計数払出開始通知）を受信したときには、前記減算処理を実施することなく前記減算終了通知（計数払出終了応答）を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正１１】
【補正対象書類名】明細書
【補正対象項目名】００１３
【補正方法】変更
【補正の内容】
【００１３】
本発明の手段６に記載の遊技用装置は、請求項１、手段１〜５のいずれかに記載の遊技用装置であって、
前記一般用記録媒体格納手段（カード貯留部３７０）に格納されている一般用記録媒体（ビジターカード）の数が０となったことを条件に、前記遊技媒体計数装置（計数・払出ユニット４）に対し、該遊技媒体計数装置における計数を禁止させるための計数禁止情報（ストックカード状態通知）を送信することを特徴としている。
この特徴によれば、遊技媒体計数装置における計数に基づく獲得遊技媒体数を、一般用記録媒体に記録して発行できなくなることを防止できる。
【手続補正１２】
【補正対象書類名】明細書
【補正対象項目名】００１４
【補正方法】変更
【補正の内容】
【００１４】
本発明の手段７に記載の遊技用装置は、請求項１、手段１〜６のいずれかに記載の遊技用装置であって、
前記遊技者が遊技を中断するための離席操作を受付けるための離席操作受付け手段（ＩＲ受光ユニット３１５）を備え、前記離席操作の受付けに応じて、前記遊技媒体計数装置（計数・払出ユニット４）に対し、離席モードを開始する旨を特定可能な離席モード開始通知（離席モード通知（開始））を送信することで該遊技媒体計数装置における遊技媒体（パチンコ玉）の計数並びに払出しを禁止させ、前記受付手段（カードリーダライタ３２７）に受付け中の一般用記録媒体（ビジターカード）或いは会員用記録媒体（会員カード）から読み出した、該一般用記録媒体或いは会員用記録媒体を特定可能な記録媒体識別情報（（会員）カードＩＤ）を記憶して該一般用記録媒体或いは会員用記録媒体を排出するとともに、一般用記録媒体或いは会員用記録媒体の受付け以外の操作を禁止して離席モードを開始し、離席モード中に受付けた一般用記録媒体或いは会員用記録媒体から読み出した記録媒体識別情報が、該離席モードの開始時に記憶した前記記録媒体識別情報と一致することを条件に、離席モードを終了する旨を特定可能な離席モード終了通知（離席モード通知（終了））を前記遊技媒体計数装置に送信して遊技媒体の計数並びに払出しの禁止を解除させるとともに、前記操作の禁止を解除して離席モードを終了することを特徴としている。
この特徴によれば、離席モード開始通知を遊技媒体計数装置に対して送信することで、一般用記録媒体或いは会員用記録媒体の受付け以外の操作が禁止される離席モードと連携して、該遊技媒体計数装置における計数や払出を禁止させることができるとともに、遊技者は、離席において一般用記録媒体或いは会員用記録媒体のみを所持するのみで良く、遊技者の利便性を向上できる。
【手続補正１３】
【補正対象書類名】明細書
【補正対象項目名】００１５
【補正方法】変更
【補正の内容】
【００１５】
本発明の手段８に記載の遊技用装置は、
遊技機（パチンコ機２）に１対１に対応して設けられ、かつ対応する遊技機における遊技にて獲得された獲得遊技媒体数（持玉数）を、遊技場に会員登録した各会員遊技者を個々に識別可能な会員識別情報（会員ＩＤ）に対応付けて管理する管理装置と通信可能であり、
遊技機における遊技に使用可能な遊技用価値（プリペイド残額）の大きさを特定可能な遊技用価値特定情報（プリペイド残額データ、（会員）カードＩＤ）が記録された一般用記録媒体（ビジターカード）、若しくは前記会員識別情報と前記遊技用価値特定情報とが記録された会員用記録媒体（会員カード）のいずれか一方を受付けて、該受付けた一般用記録媒体或いは会員用記録媒体に記録されている遊技用価値特定情報を少なくとも読み出す記録媒体処理手段（カードリーダライタ３２７）と、
新たに発行可能な前記一般用記録媒体を前記記録媒体処理手段に供給可能に格納する一般用記録媒体格納手段（カード貯留部３７０）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
対応する遊技機における遊技にて獲得された遊技媒体数（獲得玉数）を計数する遊技媒体計数手段（獲得玉計数器４０７）と、
該遊技媒体計数手段にて計数された獲得遊技媒体数（持玉数）の範囲内の玉数を対応する遊技機に払出す払出手段（玉切り払出しユニット４０２）と、
前記管理装置との通信を行う管理装置通信手段（第２通信部４０９）と、
該管理装置通信手段による前記管理装置との通信状態が、接続（オンライン）状態或いは非接続（オフライン）状態のいずれであるかを監視する接続状態監視手段（制御部４１０）と、
前記獲得遊技媒体数を、前記一般用記録媒体或いは会員用記録媒体により特定可能とするための特定化処理（計数対応処理）を行う特定化処理手段（制御ユニット３２８）と、
を備える記録媒体処理装置であって、
前記特定化処理手段は、前記記録媒体処理手段において前記一般用記録媒体を受付けているときには、前記特定化処理として、前記接続状態監視手段により監視されている通信状態に関わらず、前記獲得遊技媒体数（持玉数）を該一般用記録媒体に前記記録媒体処理手段により記録させる処理を行い、前記記録媒体処理手段において前記会員用記録媒体を受付けているときには、前記接続状態監視手段により監視されている通信状態が接続状態であれば、該会員用記録媒体から前記記録媒体処理手段により読み出した会員識別情報と前記獲得遊技媒体数とを前記管理装置に送信して、該会員識別情報に対応付けて当該獲得遊技媒体数（持玉数）を管理させる一方、前記接続状態監視手段により監視されている通信状態が非接続状態であれば、受付けている該会員用記録媒体を前記記録媒体処理手段に返却させるとともに、前記一般用記録媒体格納手段に格納されている一般用記録媒体に、前記獲得遊技媒体数（持玉数）を前記記録媒体処理手段により記録させて排出させることを特徴としている。
この特徴によれば、接続状態監視手段により監視されている通信状態が非接続状態においては、受付け中の会員用記録媒体の返却に加えて、獲得遊技媒体数が記録された一般用記録媒体が発行されるので、通信状態が非接続（オフライン）状態となっても、会員遊技者が損害を被ることを解消できる。
【手続補正１４】
【補正対象書類名】明細書
【補正対象項目名】００１６
【補正方法】変更
【補正の内容】
【００１６】
本発明の手段９に記載の遊技用装置は、手段８に記載の遊技用装置であって、
前記一般用記録媒体（ビジターカード）或いは会員用記録媒体（会員カード）を排出するための排出操作を検知する排出操作検知手段（制御ユニット３２８、Ｓｂ５）と、該排出操作検知手段による排出操作の検知が、前記通信状態が非接続状態であるときに操作される特別操作を受付けるための特別操作受付け手段（ＩＲ受光ユニット３１５）とを備え、
前記特定化処理手段（制御ユニット３２８）は、前記排出操作検知手段による排出操作の検知に応じて前記特定化処理を実施するとともに、前記記録媒体処理手段（カードリーダライタ３２７）において前記会員用記録媒体を受付け中であって、前記通信状態が非接続状態であるときに前記排出操作検知手段により排出操作を検知したときには、前記特別操作受付け手段によって特別操作を受付けたこと（トラブルモード操作に応じた所定の赤外線信号の受信）を条件に、前記会員用記録媒体の返却及び前記獲得遊技媒体数が記録された一般用記録媒体の排出を前記記録媒体処理手段に実施させることを特徴としている。
この特徴によれば、特別操作を必要とすることにより、通常の排出操作にて会員用記録媒体と獲得遊技媒体数が記録された一般用記録媒体とを排出する場合に比較して、一般用記録媒体の取り忘れを低減することができる。
【手続補正１５】
【補正対象書類名】明細書
【補正対象項目名】００１７
【補正方法】変更
【補正の内容】
【００１７】
本発明の手段１０に記載の遊技用装置は、手段８または手段９に記載の遊技用装置であって、
前記特定化処理手段（制御ユニット３２８）は、前記記録媒体処理手段（カードリーダライタ３２７）において前記会員用記録媒体（会員カード）を受付け中であって、前記通信状態が非接続（オフライン）状態であるときに前記排出操作検知手段（Ｓｂ５）により排出操作を検知したときには、前記一般用記録媒体（ビジターカード）への前記獲得遊技媒体数（持玉数）の記録の完了を待って、前記会員用記録媒体の返却を前記記録媒体処理手段に実施させることを特徴としている。
この特徴によれば、会員用記録媒体と獲得遊技媒体数が記録された一般用記録媒体とが、ほぼ同時に排出されるようになるので、一般用記録媒体の取り忘れを低減することができる。
【手続補正１６】
【補正対象書類名】明細書
【補正対象項目名】００１８
【補正方法】変更
【補正の内容】
【００１８】
本発明の手段１１に記載の遊技用装置は、手段８〜１０のいずれかに記載の遊技用装置であって、
前記特定化処理手段（制御ユニット３２８）は、前記一般用記録媒体（ビジターカード）に対する特定化処理（計数対応処理）として、前記遊技媒体計数手段（獲得玉計数器４０７）において遊技媒体（パチンコ玉）の計数を実施する毎に、該計数に基づく獲得遊技媒体数（持玉数）を前記記録媒体処理手段（カードリーダライタ３２７）に受付け中の一般用記録媒体に記録するための処理を行うことを特徴としている。
この特徴によれば、遊技媒体の計数に応じて獲得遊技媒体数が逐次、一般用記録媒体に記録されるので、遊技者による一般用記録媒体の排出操作に応じて、迅速に一般用記録媒体を排出することができる。